(57)【特許請求の範囲】
【請求項１】
ランプであって、前記ランプの外側に、ランプ保持器における対応する電気接触素子と接触するための電気接触部材を有するランプにおいて、前記ランプの光放射は、前記ランプの前面から発せられ、前記前面は、前記ランプの対称軸方向に垂直な平面に略配置されたランプにおいて、前記ランプが、前記ランプ保持器によって完全に囲まれるよう構成され、前記接触部材が、前記ランプの前記前面と、前記ランプの前記前面の背後の、前記ランプの背面との間の、前記ランプの側面に配置されたことを特徴とするランプ。
【請求項２】
前記ランプの前記前面を通る光放射を反射させるための反射器を有し、前記反射器の対称軸方向の大きさは、前記ランプの対称軸方向の大きさと略等しいことを特徴とする、請求項１に記載のランプ。
【請求項３】
前記ランプの前記前面の前記端の形状は円形であることを特徴とする、請求項１又は２のいずれか一項に記載のランプ。
【請求項４】
前記ランプの前記前面は、前記前面の平面における全ての方向において、前記ランプの最大の対称軸方向の大きさよりも、少なくとも３倍大きいことを特徴とする、請求項１乃至３のいずれか一項に記載のランプ。
【請求項５】
前記ランプの対称軸方向の大きさは２５ｍｍよりも小さいことを特徴とする、請求項１乃至４のいずれか一項に記載のランプ。
【請求項６】
前記ランプはハロゲンバーナを有することを特徴とする、請求項１乃至５のいずれか一項に記載のランプ。
【請求項７】
前記ランプは幾つかのＬＥＤを有することを特徴とする、請求項１乃至６のいずれか一項に記載のランプ。
【請求項８】
前記ランプの前記接触部材が前記ランプの対向する側面に配置されたことを特徴とする、請求項１乃至７のいずれか一項に記載のランプ。
【請求項９】
各前記接触部材の少なくとも一部が、ランプ保持器の対応する接触素子の対応する部分と係合するために弾性のものであり、前記ランプがクランプによって前記ランプ保持器に固定される、請求項１乃至８のいずれか一項に記載のランプ。
【請求項１０】
請求項１乃至９のいずれか一項に記載のランプのためのランプ保持器であって、前記ランプの対応する電気接触部材と接触するための電気接触素子を有するランプ保持器において、前記ランプ保持器は、前記ランプ保持器の対称軸方向に平行な壁を有し、前記ランプ保持器が前記ランプを完全に囲み、前記電気接触素子が前記壁の内側に配置されたことを特徴とするランプ保持器。
【請求項１１】
前記ランプ保持器の背面の大部分が開いていることを特徴とする、請求項１０に記載のランプ保持器。
【請求項１２】
前記ランプ保持器は、前記ランプ保持器の背面における前記壁の端から内向きに延在する固定部材を備えたことを特徴とする、請求項１０又は１１に記載のランプ保持器。
【請求項１３】
前記ランプ保持器の対称軸方向の大きさが、前記ランプの保持器の対称軸方向の大きさと略等しいことを特徴とする、請求項１０乃至１２のいずれか一項に記載のランプ保持器。
【発明の詳細な説明】
【技術分野】
【０００１】
本発明は、ランプであって、前記ランプの外側に、ランプ保持器における対応する電気接触素子と接触するための電気接触部材を有するランプにおいて、前記ランプの光放射は、前記ランプの前面から発せられ、前記前面は、前記ランプの長さ方向に垂直な平面に略配置されたランプに関する。
【背景技術】
【０００２】
従来のランプの殆どは、ランプをランプ保持器に固定するための手段を備えたベース部分を有する。更に、ランプのベース部分は、ランプのバーナに電力を供給するための電気接触部材を担持し、ランプ保持器は、対応する電気接触素子を有する。電気接触部材及び電気接触素子は、ランプをランプ保持器に固定するための手段に組み込まれ得る。
【発明の概要】
【発明が解決しようとする課題】
【０００３】
ランプの多くの用途のためには、ランプとランプ保持器とのアセンブリの長さ方向の全体の大きさ（以下、ランプの長さと呼ぶ）は、比較的小さい必要がある。例えば、ランプ及びランプ保持器の短い長さは、ランプ保持器が天井に装着される場合、又はランプが棚に対して若しくは棚の下側に配置される戸棚のような家具に装着される場合に、有利となる。しかしながら、照明装置においても、ランプ及び／又はランプとランプ保持器とのアセンブリの比較的小さな長さ方向の大きさが有利となり得る。
【０００４】
ランプは、白熱バーナ、ハロゲンバーナ、幾つかのＬＥＤ（発光ダイオード）、管状低圧ガス放電バーナ、又はその他のいずれの種類のバーナをも有し得る。ランプは更に、バーナの光源を制御するための電子回路手段を備え得る。ランプが比較的小さな大きさ、とりわけ長さ方向における小さな大きさを持つ必要がある場合には、ランプ中の種々の構成要素及び部品の効率的な配置が望ましい。
【０００５】
本発明の目的は、比較的小さな長さ方向の大きさを持つランプ及び／又はランプ保持器である。
【０００６】
本発明の他の目的は、ランプがコンパクトな構造を備えるような、バーナ及び電子制御手段を有するランプである。
【課題を解決するための手段】
【０００７】
これら目的の一方又は両方を達成するため、前記接触部材が、前記ランプの前記前面の周縁端の近くに配置される。好適には、接触部材が、ランプの前面の縁部を囲む。これにより、ランプの前面の背後の、ランプの背面までの全ての空間が、ランプの反射器、バーナ及び電子制御手段のようなランプの他の部品のために利用されることができる。
【０００８】
好適な実施例においては、ランプは、前記ランプの前記前面を通る光放射を反射させるための反射器を有し、前記反射器の長さ方向の大きさは、前記ランプの長さと略等しい。これにより、ランプの長さ全体が、比較的大きな反射器を収容するために利用されることができ、一方でランプの長さ方向における大きさが比較的小さいままとされ得る。
【０００９】
前面からみたランプの形状は、長方形又は正方形であっても良いが、好適な実施例においては、ランプの形状、即ちランプの前面の縁の形状は、円形である。例えば、ランプ及びランプ保持器が棚の下側の凹部に装着される場合には、ランプは単純な物質除去作業で作られ得る円形の凹部に収容されることができる。
【００１０】
好適には、前記ランプの前記前面は、前記前面の平面における全ての方向において、前記ランプの最大の長さ方向の大きさよりも、少なくとも３倍、好適には５倍大きい。更に、好適には、ランプの長さ方向の大きさは２５ｍｍよりも小さく、更に好適には１５ｍｍよりも小さい。ランプの斯かる大きさは、ランプの広範囲な用途を実現する。例えば、ランプは凹状の表面に配置され得、又は小さな長さ方向を持つ照明装置に配置され得る。
【００１１】
ランプのバーナは、例えばジグザグ型に曲がった管状放電バーナであっても良いが、他の好適な実施例においては、ランプはハロゲンバーナを有するか、又は幾つかのＬＥＤ（発光ダイオード）を有する。ランプは比較的大型の反射器を有しても良く、バーナの機能を制御するための制御手段が反射器の周囲に（即ち反射器の背面とランプの外周面との間に）配置されても良い。
【００１２】
好適な実施例においては、ランプの接触部材がランプの対向する側面に配置され、好適には、各前記接触部材の少なくとも一部が、ランプ保持器の対応する接触素子の対応する部分と係合するために弾性のものであり、前記ランプが前記接触部材と前記接触素子との間のクランプ接触によって前記ランプ保持器に固定される。接触部材及び／又は接触素子は弾性のものであっても良い。
【００１３】
本発明はまた、以上に説明したランプのためのランプ保持器であって、前記ランプの対応する電気接触部材と接触するための電気接触素子を有するランプ保持器において、前記ランプ保持器は、前記ランプ保持器の長さ方向に平行な壁を有し、前記ランプ保持器が前記ランプを完全に囲み、前記電気接触素子が前記ランプ保持器の前記壁の内側に配置されたことを特徴とするランプ保持器に関する。ランプは、ランプ保持器の開いた前面を通してランプ保持器に挿入されても良い。ランプ保持器は後壁を持っても良いが、好適には、ランプ保持器の背面の大部分は開いており、それによりランプ保持器の背面までに亘るランプ保持器内の空間にランプが収容されることができ、ランプとランプ保持器とのアセンブリの長さがランプ自体の長さと等しくできる。結果として、ランプアセンブリは小型になり、ランプとランプ保持器とのアセンブリがランプ中の反射器の長さよりも長くなる必要がなくなる。
【００１４】
更に、ランプ保持器はランプ保持器を固定するための手段を有し、該手段は好適には、ランプ保持器の背面における前記壁の縁部から内向きに延在する固定部材である。好適には、各固定部材は穴を有し、これらの穴を通過するねじによって、例えば棚の下側に対して又は棚の下側における凹部において、ランプ保持器が固定されることができる。
【００１５】
本発明の好適な実施例においては、ランプ保持器の長さ方向の大きさ（長さ）は、ランプの長さ方向の大きさと略等しい。ランプとランプ保持器とのアセンブリの長さは、ランプ及びランプ保持器の各々の長さに等しい。このことは、ランプ保持器の外壁面が、ランプアセンブリを有する照明器具の他の構成要素のための基準として利用され得るという利点を持つ。
【図面の簡単な説明】
【００１６】
【図１】図２における線Ｉ−Ｉに沿ってとられたランプの断面図である。
【図２】図１における矢印ＩＩによるランプの図である。
【図３】図４における線ＩＩＩ−ＩＩＩに沿ってとられたランプ保持器の断面図である。
【図４】図３における矢印ＩＶによるランプ保持器の図である。
【図５】組み立てられたランプ及びランプ保持器を示す。
【図６】ランプ及びランプ保持器の第２の実施例を示す。
【発明を実施するための形態】
【００１７】
本発明は、図式的な図を有する図面を参照しながら、本発明によるランプ及びランプ保持器の第１の実施例（図１乃至５）及び第２の実施例（図６）の説明により、以下に更に説明される。
【００１８】
これら図面は、本発明の説明に重要なランプ及びランプ保持器の部分のみを示したものである。
【００１９】
図１の対称軸１の左側においてはランプ１６が断面図で示され、右側においては該ランプが側面図で示されている。底面２は該ランプの前面であり、該前面を通って光放射が該ランプを出る。該ランプの平坦な前面２は、環状の不透明壁４により囲まれた円形の透明壁３により形成される。壁３及び４は共に互いに接続され、併せて該ランプの前壁３、４を形成する。
【００２０】
該ランプは、対称軸１に沿ってランプ保持器１９に挿入されるものであり、従って該対称軸はシステムの軸を形成する。
【００２１】
該ランプの反射器は平坦な後壁５と円錐形の側壁６とを持ち、側壁６は該ランプの前面の環状の不透明壁４に接続される。反射器５、６の内側（図１の下側）には、光反射被覆が塗布されている。例えば低圧ガス放電ランプのようなバーナ７が、反射器５、６と該ランプの前壁３、４との間に存在し、それによりバーナ７からの光放射の一部が透明壁３を直接通って該ランプから出て、一方で該光放射の別の一部が反射器５、６によって反射された後に該透明壁３を通過することができる。該反射器の円錐形壁６は、該ランプの環状の収容部８により囲まれ、該収容部８は、反射器５、６と該ランプの環状の不透明壁４とに取り付けられる。
【００２２】
２つのストリップ型の金属の電気接触部材９及び１０は、収容部８と環状壁４との間に固定され、それにより各接触部材９、１０の外側の端が該ランプの外に延在し、内側の端が収容部８と反射器の円錐形壁６との間の空間１１に延在する。接触部材９の内側の端は電力供給線１２の一方の端と接続され、電力供給線１２の他方の端はバーナ７の電極の１つに接続される。該線１２は、反射器の円錐形壁６における開口を通過する。接触部材１０は、同じ態様で、バーナ７の他方の端における他方の電極に接続される（図には示されていない）。
【００２３】
収容部８及び反射器５、６は、プラスチックのような電気的に絶縁性の物質でできたものであり、一体のものとして作成されても良いし、又は互いに接着又は溶接されても良い。同様のことが、該ランプの前面における壁３、４、及び環状壁４と収容部８との間の接続についても当てはまる。
【００２４】
図２は、図１に示されたランプの背面を示す。環状の収容部８は、対向する側面に２つの平坦な部分１４を有する略円筒形の壁を持つ。接触部材９及び１０は、これら平坦部分１４の中央部に配置される。更に、環状の収容部８は、以下に説明されるように、ランプ保持器の締結手段を収容するための２つの凹部１５を有する。
【００２５】
図３及び４は、ランプの説明された実施例のためのランプ保持器を示す。該ランプ保持器の大部分は、円筒形の壁２０である。円筒形の壁２０の内側には、壁２０の対向する位置において、２つの金属の電気接触素子２１及び２２が備えられる。２つの接触素子２１及び２２は、導電線によって、電力を供給するための手段と接続される。該線及び該手段は、本図には示されていない。
【００２６】
更に、ランプ保持器は、該ランプ保持器を固定するための手段を有し、該手段は、円筒形の壁２０の一方の端から内向きに延在し且つ図４の平面に平行に配置された２つの固定部材２３及び２４である。各固定部材２３、２４は穴２５を備え、これによりランプ保持器がこれら穴２５を通る締め付けねじによって例えば棚の底面に固定されることができる。
【００２７】
図５は、図３に関連して説明されたランプ保持器における、図１に関連して説明されたランプを示す。本図に示されるように、該ランプの接触部材９、１０は、該ランプ保持器の接触素子２１、２２により内向きに押される。図５においては、接触部材９及び接触素子２１のみが、中心線２７の左側における断面図において可視となっている。図５において、中心線２７の右側においては、側面図が示されている。該ランプと該ランプ保持器とは、接触部材９、１０と接触素子２１、２２との間のクランプ力によって互いに固定される。該ランプ及び／又は該ランプ保持器は、該ランプ保持器に対して該ランプの正常な回転方向の位置を確実にするための付加的な手段を備えても良く、該正常な位置において、該ランプの各接触部材９、１０は該ランプ保持器の対応する接触素子２１、２２と接触する。
【００２８】
図６は、図５における第１の実施例とビューで表された、ランプ及びランプ保持器の第２の実施例を示す。第２の実施例においては、ランプの環状の壁４は図１、２及び５で示されたものよりも小さな外径を持ち、ランプ保持器の円筒器の壁２０の長さ方向の大きさ（即ちシステムの軸を横切る方向のランプ保持器の大きさ、それ故径方向における大きさ）は、図３及び５に示されたものよりも大きい。該ランプは、該ランプの前壁３、４がランプ保持器の円筒形の壁２０の端２６により囲まれるように、ランプ保持器に完全に挿入されることができる。
【００２９】
ランプ及びランプ保持器の示された実施例は単に本発明による例であって、他の多くの実施例が本発明によって実現可能である。
【図１】
0005843187.tif 000002
【図２】
0005843187.tif 000003
【図３】
0005843187.tif 000004
【図４】
0005843187.tif 000005
【図５】
0005843187.tif 000006
【図６】
0005843187.tif 000007